(57)【要約】【課題】複数のスキュー光線補正フィルタを組み込むこと。特に複数の隣接ＰＢＳ間にかつ特に物理的に小型で高角度照明（低いｆ／＃）の複数の実施に、これらの開示のスキュー光線補正フィルタを使用すると、システム性能を向上させること。【解決手段】色選択偏光フィルタ（ＣＳＰＦ）および偏光ビーム分割要素を利用する１つの３パネル投射システムのための色管理構造を説明する。１つの典型的な実施形態が、１つの二色入力分割器および３つの偏光ビーム分割器を備える１つの色管理構造を説明する。１つの出力偏光ビーム分割器が１つの分析器として使用される。この色管理システム構造は、任意の色チャネルを残りの色チャネルから隔離可能であり、次いで、これらの残りの色チャネルの分離および結合が単一のビーム分割要素によって行われる。本開示の実施形態はまた、ＡＮＳＩコントラストにおける１つの改良を提供する。幾つかの実施形態では、投射光学素子から反射された光を遮断するために、１つの無色１／４波長板が１つの色フィルタと組み合わせて使用される。
2006507525.tif 000002
【特許請求の範囲】
【請求項１】
１つの実質的に白色の入力光からの赤色、青色、および緑色の３原色を管理するための１つの色管理構造であって、前記構造は、前記入力光を１つの第１部分と１つの第２部分とに分割するように構成された１つの入力二色ビーム分割要素であって、前記第１部分が、前記入力光からの１つの第１の実質的に非緑色の原色を含み、かつ前記第２部分が、前記入力光からの１つの第２の実質的に非緑色の原色および前記入力光からの１つの実質的に緑色の原色を含む、１つの入力二色ビーム分割要素、前記入力二色ビーム分割要素から、前記第１の実質的に非緑色の原色を含む前記第１部分の光を受け取るように構成された１つの第１偏光ビーム分割器、前記第１偏光ビーム分割器に隣接し、前記第１部分の光を変調しかつ反射するように構成された１つの第１反射パネル、前記第２部分の光を受け取り、かつ前記第２部分の光を前記第２の実質的に非緑色の原色を含む１つの第３部分の光と前記実質的に緑色の原色を含む１つの第４部分の光とに分割するように構成された１つの第２偏光ビーム分割器、前記第２偏光ビーム分割器に隣接し、前記第３部分の光を変調しかつ反射するように構成された１つの第２反射パネル、前記第２偏光ビーム分割器に隣接し、前記第４部分の光を変調しかつ反射するように構成された１つの第３反射パネル、ならびに前記第１および第２偏光ビーム分割器に隣接し、１つの出力光を形成するために、前記第１、第３、および第４部分の前記変調されかつ反射された光を結合するように構成された１つの第３偏光ビーム分割器を備える、色管理構造。
【請求項２】
前記色管理構造は、光学的に前記入力二色ビーム分割要素と前記第１偏光ビーム分割器の間にある１つの偏光要素をさらに備える、請求項１に記載の色管理構造。
【請求項３】
前記色管理構造は、光学的に前記入力二色ビーム分割要素と前記第２偏光ビーム分割器の間にある１つの偏光要素をさらに備える、請求項１に記載の色管理構造。
【請求項４】
前記色管理構造は、光学的に前記入力二色ビーム分割要素と前記第１偏光ビーム分割器の間にある１つの第１偏光要素と、光学的に前記入力二色ビーム分割要素と前記第２偏光ビーム分割器の間にある１つの第２偏光要素と、をさらに備える、請求項１に記載の色管理構造。  
【請求項５】
前記色管理構造は、光学的に前記入力ビーム分割要素と前記第１偏光分割器の間にあって、前記第１部分の光を実質的に透過しかつ前記第２の実質的に非緑色の原色および前記実質的に緑色の原色を実質的に遮断するように構成された１つの二色フィルタをさらに備える、請求項１に記載の色管理構造。
【請求項６】
前記色管理構造は、光学的に前記入力二色ビーム分割要素と前記第２偏光ビーム分割器の間にあって、前記第２部分の光を実質的に透過しかつ前記第１の実質的に非緑色の原色を実質的に遮断するように構成された１つの二色フィルタをさらに備える、請求項１に記載の色管理構造。
【請求項７】
前記色管理構造は、光学的に前記入力二色ビーム分割要素と前記第１偏光ビーム分割器の間にあって、前記第１部分の光を実質的に透過しかつ前記第２の実質的に非緑色の原色および前記実質的に緑色の原色を実質的に遮断するように構成された１つの第１の二色フィルタと、光学的に前記入力二色ビーム分割要素と前記第２偏光ビーム分割器の間にあって、前記第２部分の光を実質的に透過しかつ前記第１の実質的に非緑色の原色を実質的に遮断するように構成された１つの第２の二色フィルタと、をさらに備える、請求項１に記載の色管理構造。
【請求項８】
前記色管理構造は、光学的に前記入力二色ビーム分割要素と前記第２偏光ビーム分割器の間にあって、前記第２の実質的に非緑色の原色および前記実質的に緑色の原色の少なくとも一方を回転させるように構成された１つの偏光回転要素をさらに備える、請求項１に記載の色管理構造。
【請求項９】
前記偏光回転要素は、１つの赤紫色／緑色フィルタおよび１つの赤色／水色フィルタから成る群から選択される、請求項８に記載の色管理構造。
【請求項１０】
前記色管理構造は、光学的に前記第２偏光ビーム分割器と前記第３偏光ビーム分割器の間にあって、前記第３および第４部分の少なくとも一方の前記変調されかつ反射された光を回転させるように構成された１つの偏光回転要素をさらに備える、請求項１に記載の色管理構造。
【請求項１１】
前記偏光回転要素は、複数のスキュー光線に関して、前記第３および第４部分の少なくとも一方の前記変調されかつ反射された光を補正するようにさらに構成される、請求項１０に記載の色管理構造。  
【請求項１２】
前記色管理構造は、光学的に前記入力二色ビーム分割要素と前記第２偏光ビーム分割器の間にあって、前記第２の実質的に非緑色の原色および前記実質的に緑色の原色の少なくとも一方を回転させるように構成された１つの第１偏光回転要素と、光学的に前記第２偏光ビーム分割器と前記第３偏光ビーム分割器の間にあって、前記第３および第４部分の少なくとも一方の前記変調されかつ反射された光を回転させるように構成された１つの第２偏光回転要素と、をさらに備える、請求項１に記載の色管理構造。
【請求項１３】
前記第１偏光回転要素は、１つの赤紫色／緑色フィルタおよび１つの赤色／水色フィルタからなる群から選択され、さらに前記第２偏光回転要素は、複数のスキュー光線に関して、前記第３および第４部分の少なくとも一方の前記変調されかつ反射された光を補正するようにさらに構成される、請求項１２に記載の色管理構造。
【請求項１４】
前記色管理構造は、光学的に前記入力二色ビーム分割要素と前記第１偏光ビーム分割器の間にある１つの斜板補償器をさらに含む、請求項１に記載の色管理構造。
【請求項１５】
前記色管理構造は、光学的に前記入力二色ビーム分割要素と前記第２偏光ビーム分割器の間にある１つの斜板補償器をさらに備える、請求項１に記載の色管理構造。
【請求項１６】
前記色管理構造は、光学的に前記入力二色ビーム分割要素と前記第１偏光ビーム分割器の間にある１つの第１斜板補償器と光学的に前記入力二色ビーム分割要素と前記第２偏光ビーム分割器の間にある１つの第２斜板補償器と、をさらに備える、請求項１に記載の色管理構造。
【請求項１７】
光を投射する１つの方法であって、１つの二色ビーム分割器によって１つの実質的に白色の入力光を１つの第１部分と１つの第２部分とに分割するステップであって、前記第１部分は、前記入力光からの１つの第１の実質的に非緑色の原色を含み、前記第２部分は、前記入力光からの１つの第２の実質的に非緑色の原色および前記入力光からの１つの実質的に緑色の原色を含む、分割するステップと、１つの第１偏光ビーム分割器によって、光の前記第１部分を１つの第１パネルに誘導するステップであって、前記第１パネルは光の前記第１部分を変調しかつ反射する、誘導するステップと、１つの第２偏光ビーム分割器によって、光の前記第２部分を前記第２の実質的に非緑色の原色を含む１つの第３部分の光と前記実質的に緑色の原色を含む１つの第４部分の光とに分割するステップと、前記第２偏光ビーム分割器によって、光の前記第３部分を１つの第２パネルに誘導するステップであって、前記第２パネルは光の前記第３部分を変調しかつ反射する、誘導するステップと、前記第２偏光ビーム分割器によって、光の前記第４部分を１つの第３パネルに誘導するステップであって、前記第３パネルは光の前記第４部分を変調しかつ反射する、誘導するステップと、光の１つの第５部分を形成するために、前記第２偏光ビーム分割器によって、光の前記変調されかつ反射された第３および第４部分を結合するステップと、１つの出力光を形成するために、１つの第３偏光ビーム分割器を使用して、光の前記変調されかつ反射された第１部分を光の前記第５部分と結合するステップと、を含む方法。
【請求項１８】
前記方法は、１つの第１斜板補償器によって前記第１部分の光を補正するステップと、１つの第２の斜板補償器によって前記第２部分の光を補正するステップと、をさらに含む、請求項１７に記載の方法。
【請求項１９】
前記方法は、光の前記変調されかつ反射された第１部分を光の前記第５部分と結合するステップの前に、前記第５部分の光を補正するステップをさらに含む、請求項１７に記載の方法。
【請求項２０】
前記第５部分の前記光は１つの偏光回転要素を使用して補正される、請求項１７に記載の方法。
【請求項２１】
１つの実質的に白色の入力光からの赤色、青色、および緑色の３原色を管理するための１つの色管理構造であって、前記構造は、前記入力光を１つの第１部分と１つの第２部分とに分割するように構成された１つの入力二色ビーム分割要素であって、前記第１部分は前記入力からの１つの第１の実質的に非緑色の原色を含み、さらに前記第２部分は、前記入力光からの１つの第２の実質的に非緑色の原色および前記入力光からの１つの実質的に緑色の原色を含む、１つの入力二色ビーム分割要素と、前記第１の実質的に非緑色の原色を含む前記第１部分の光を前記入力二色ビーム分割要素から受け取るように構成された１つの第１偏光ビーム分割器と、前記第１偏光ビーム分割器に隣接し、前記第１部分の光を変調しかつ反射するように構成された１つの第１反射パネルと、前記第２部分の光を受け取り、かつ前記第２部分の光を前記第２の実質的に非緑色の原色を含む１つの第３部分の光と前記実質的に緑色の原色を含む１つの第４部分の光とに分割するように構成された１つの第２偏光ビーム分割器と、前記第２偏光ビーム分割器に隣接し、前記第３部分の光を変調しかつ反射するように構成された１つの第２反射パネルと、前記第２偏光ビーム分割器に隣接し、前記第４部分の光を変調しかつ反射するように構成された１つの第３反射パネルと、前記第１および第２偏光ビーム分割器に隣接し、１つの出力光を形成するために、前記第１、第３、および第４部分の前記変調されかつ反射された光を結合するように構成された１つの第３偏光ビーム分割器と、光学的に位置決めされ、かつ前記第１、第２、第３、および第４部分の少なくとも１つの部分の前記光を補正するように構成された少なくとも１つのスキュー光線補償器と、を備える色管理構造。
【請求項２２】
前記色管理構造は、光学的に前記入力二色ビーム分割要素と前記第１偏光ビーム分割器の間にある１つの偏光要素をさらに備える、請求項２１に記載の色管理構造。
【請求項２３】
前記色管理構造は、光学的に前記入力二色ビーム分割要素と前記第２偏光ビーム分割器の間にある１つの偏光要素をさらに備える、請求項２１に記載の色管理構造。
【請求項２４】
前記色管理構造は、光学的に前記入力二色ビーム分割要素と前記第１偏光ビーム分割器の間にある１つの第１偏光要素と、光学的に前記入力二色ビーム分割要素と前記第２偏光ビーム分割器の間にある１つの偏光要素と、をさらに備える、請求項２１に記載の色管理構造。
【請求項２５】
前記色管理構造は、光学的に前記入力二色ビーム分割要素と前記第１偏光ビーム分割器の間にあって、前記第１部分の光を実質的に透過しかつ前記第２の実質的に非緑色の原色および前記実質的に緑色の原色を実質的に遮断するように構成された１つの二色フィルタをさらに備える、請求項２１に記載の色管理構造。
【請求項２６】
前記色管理構造は、光学的に前記入力二色ビーム分割要素と前記第２偏光ビーム分割器の間にあって、前記第２部分の光を実質的に透過しかつ前記第１の実質的に非緑色の原色を遮断するように構成された１つの二色フィルタをさらに備える、請求項２１に記載の色管理構造。
【請求項２７】
前記色管理構造は、光学的に前記入力二色ビーム分割要素と前記第１偏光ビーム分割器の間にあって、前記第１部分の光を実質的に透過しかつ前記第２の実質的に非緑色の原色および前記実質的に緑色の原色を実質的に遮断するように構成された１つの第１の二色フィルタと、光学的に前記入力二色ビーム分割要素と前記第２偏光ビーム分割器に間にあって、前記第２部分の光を実質的に透過しかつ前記第１の実質的に非緑色の原色を実質的に遮断するように構成された１つの第２の二色フィルタと、をさらに備える、請求項２１に記載の色管理構造。
【請求項２８】
前記色管理構造は、光学的に前記入力二色ビーム要素と前記第２偏光ビーム分割器の間にあって、前記第２の実質的に非緑色の原色および前記実質的に緑色の原色の少なくとも一方を回転させるように構成された１つの偏光回転要素をさらに備える、請求項２１に記載の色管理構造。
【請求項２９】
前記偏光回転要素は、１つの赤紫色／緑色フィルタおよび１つの赤色／水色フィルタから成る群から選択される、請求項２８に記載の色管理構造。
【請求項３０】
前記色管理構造は、光学的に前記第２偏光ビーム分割器と前記第３偏光ビーム分割器の間にあって、前記第３および第４部分の少なくとも一方の前記変調されかつ反射された光を回転させるように構成された１つの偏光回転要素をさらに備える、請求項２１に記載の色管理構造。
【請求項３１】
前記偏光回転要素は、複数のスキュー光線に関して、前記第３および第４部分の少なくとも一方の前記変調されかつ反射された光を補正するようにさらに構成されている、請求項３０に記載の色管理構造。
【請求項３２】
前記色管理構造は、光学的に前記入力二色ビーム分割要素と前記第２偏光ビーム分割器の間にあって、前記第２の実質的に非緑色の原色および前記実質的に緑色の原色の少なくとも一方を回転させるように構成された１つの第１偏光回転要素と、光学的に前記第２偏光ビーム分割器と前記第３偏光ビーム分割器の間にあって、前記第３および第４部分の少なくとも一方の前記変調されかつ反射された光を回転させるように構成された１つの第２偏光回転要素と、をさらに備える、請求項２１に記載の色管理構造。
【請求項３３】
前記第１偏光回転要素は、１つの赤紫色／緑色フィルタおよび１つの赤色／水色フィルタから成る群から選択され、さらに前記第２偏光回転要素は、複数のスキュー光線に関して、前記第３および第４部分の少なくとも一方の変調されかつ反射された光を補正するようにさらに構成される、請求項３２に記載の色管理構造。
【請求項３４】
前記少なくとも１つのスキュー光線補償器は１つ斜板スキュー光線補償器である、請求項２１に記載の色管理構造。
【請求項３５】
前記色管理構造は、光学的に前記入力二色ビーム分割要素と前記第１偏光ビーム分割器の間にある１つの斜板スキュー光線補償器をさらに備える、請求項３４に記載の色管理構造。
【請求項３６】
前記色管理構造は、光学的に前記入力二色ビーム分割要素と前記第２偏光ビーム分割器の間にある１つの斜板スキュー光線補償器をさらに備える、請求項３４に記載の色管理構造。
【請求項３７】
前記色管理構造は、光学的に前記入力二色ビーム分割要素と前記第１偏光ビーム分割器の間にある１つの第１斜板スキュー光線補償器と、光学的に前記入力二色ビーム分割要素と前記第２偏光ビーム分割器の間にある１つの第２斜板スキュー光線補償器と、をさらに備える、請求項３４に記載の色管理構造。
【請求項３８】
１つの色管理構造であって、１つの入力光を１つの第１部分と１つの第２部分とに分割するように構成された１つの入力二色ビーム分割要素と、前記入力二色ビーム分割要素から前記第１部分の光を受け取るように構成された１つの第１光誘導要素と、前記第１光誘導要素に隣接し、前記第１部分の光を変調しかつ反射するように構成された１つの第１反射パネルと、前記第２部分の光を１つの第３部分と１つの第４部分とに分割するように構成された１つの第２光誘導要素と、前記第２光誘導要素に隣接し、前記第３部分の光を変調しかつ反射するように構成された１つの第２反射パネルと、前記第２光誘導要素に隣接し、前記第４部分の光を変調しかつ反射するように構成された１つの第３反射パネルと、前記第１および第２光誘導要素に隣接し、１つの出力光を形成するために、前記第１、第３、および第４部分の変調されかつ反射された光を結合するように構成された１つの第３光誘導要素と、光学的に位置決めされ、かつ前記第１、第２、第３、および第４部分の少なくとも１つの部分の前記光を補正するように構成された少なくとも１つのスキュー光線補償器と、を備える色管理構造。
【請求項３９】
前記色管理構造は、光学的に前記入力二色ビーム分割要素と前記第１光誘導要素の間にある１つの偏光要素をさらに備える、請求項３８に記載の色管理構造。
【請求項４０】
前記色管理構造は、光学的に前記入力二色ビーム分割要素と前記第２光誘導要素の間にある１つの偏光要素をさらに備える、請求項３８に記載の色管理構造。
【請求項４１】
前記色管理構造は、光学的に前記入力二色ビーム分割要素と前記第１光誘導要素の間にある１つの第１偏光要素と、光学的に前記入力二色ビーム分割要素と前記第２光誘導要素の間にある１つの第２偏光要素と、をさらに備える、請求項３８に記載の色管理構造。
【請求項４２】
前記色管理構造は、光学的に前記入力二色ビーム分割要素と前記第１光誘導要素の間にあって、前記第１部分の光を透過するように構成された１つの二色フィルタをさらに備える、請求項３８に記載の色管理構造。
【請求項４３】
前記色管理構造は、光学的に前記入力二色ビーム分割要素と前記第２光誘導要素の間にあって、前記第２部分の光を透過するように構成された１つの二色フィルタをさらに備える、請求項３８に記載の色管理構造。
【請求項４４】
前記色管理構造は、光学的に前記入力二色ビーム分割要素と前記第１光誘導要素の間にあって、前記第１部分の光を透過するように構成された１つの第１の二色フィルタと、光学的に前記入力二色ビーム分割要素と前記第２光誘導要素の間にあって、前記第２部分の光を透過するように構成された１つの第２の二色フィルタと、さらに備える、請求項３８に記載の色管理構造。
【請求項４５】
前記色管理構造は、光学的に前記入力二色ビーム分割要素と前記第２光誘導要素の間にあって、前記第２部分の波長スペクトルの一部を回転させるように構成された１つの偏光回転要素をさらに備える、請求項３８に記載の色管理構造。
【請求項４６】
前記偏光回転要素は、１つの赤紫色／緑色フィルタおよび１つの赤色／水色フィルタから成る群から選択される、請求項４５に記載の色管理構造。
【請求項４７】
前記色管理構造は、光学的に前記第２光誘導要素と前記第３光誘導要素の間にあって、前記第３および第４部分の少なくとも一方の前記光を回転させるように構成された１つの偏光回転要素をさらに備える、請求項３７に記載の色管理構造。
【請求項４８】
前記色管理構造は、光学的に前記入力二色ビーム分割要素と前記第２光誘導要素の間にあって、前記第２部分の波長スペクトルの一部を回転させるように構成された１つの第１偏光回転要素と、光学的に前記第２光誘導要素と前記第３光誘導要素の間にあって、前記第３および第４部分の少なくとも一方の前記光を回転させるように構成された１つの第２偏光回転要素と、をさらに備える、請求項３７に記載の色管理構造。
【請求項４９】
前記第１偏光回転要素は、１つの赤紫色／緑色フィルタおよび１つの赤色／水色フィルタから成る群から選択される、請求項４８に記載の色管理構造。
【請求項５０】
前記色管理構造は、光学的に前記入力二色ビーム分割要素と前記第１光誘導要素の間にあって、複数のスキュー光線に関して、前記第１部分の前記光を補正するように構成された１つの斜板補償器をさらに備える、請求項３８に記載の色管理構造。
【請求項５１】
前記色管理構造は、光学的に前記入力二色ビーム分割要素と前記第２光誘導要素の間にあって、複数のスキュー光線に関して、前記第２部分の前記光を補正するように構成された１つの斜板補償器をさらに備える、請求項３８に記載の色管理構造。
【請求項５２】
前記色管理構造は、光学的に前記入力二色ビーム分割要素と前記第１光誘導要素の間にあって、複数のスキュー光線に関して、前記第１部分の前記光を補正するように構成された１つの第１斜板補償器と、光学的に前記入力二色ビーム分割要素と前記第２光誘導要素の間にあって、複数のスキュー光線に関して、前記第２部分の前記光を補正するように構成された１つの第２斜板補償器と、をさらに備える、請求項３８に記載の色管理構造。
【発明の詳細な説明】
【技術分野】
【０００１】
本発明は、一般に投射型表示装置における色管理に関し、さらに詳細には、色選択偏光フィルタ（ＣＳＰＦ）および偏光ビーム分割（ＰＢＳ）素子を利用する３パネル式投射システムのための色管理構造に関する。
【背景技術】
【０００２】
投射システムは、高品質の画像を生成するが、他方では小型で安価であることが一般に望ましい。多結晶シリコン液晶パネルを使用する従来技術の透過型システムでは、それぞれのパネルを複数の交差板偏光子の間に位置決めすることによって高度のコントラストが実現される。色管理ビーム分割器／結合器および他の光学素子は、これらのユニットの外部にあって、確実に偏光が混合されないように、かつコントラストが低下しないようにする。
【０００３】
シリコン基板上に液晶層を設けた（ＬＣＯＳ）表示装置などの反射パネルを使用する投射システムでは、偏光ビーム分割器を使用してビームの経路指定が頻繁に実行される。ＰＢＳは４ポート装置であり、１つの入力ポート、１つの出力ポート、および１つの反射パネル・ポートを備え、１つの第４ポートは使用されないのが典型である。例えば、薄膜ＰＢＳキューブの挙動は、ｓ偏光された光が反射される一方で、垂直のｐ偏光された光が実質的に透過されるようになっている。
【０００４】
幾つもの４パネルすなわち「クワッド」構造が、３原色の分離、変調、および再結合に関して先行出願に説明されている（特許文献１参照。）。これらの機能は、本出願に説明される色管理システムのための新規の構造を使用して実現可能である。
【特許文献１】米国特許仮出願第０９／７３６１０５号および第１０／２９４４２６号
【発明の開示】
【発明が解決しようとする課題】
【０００５】
本発明は、ビデオ投射装置における色管理構造に関する。
【課題を解決するための手段】
【０００６】
具体的には、説明される構造は、３つの偏光ビーム分割器キューブ（ＰＢＳ）および１つの二色ビーム分割器を使用して、３つの反射型ビデオ表示パネルを照明しかつそれらから光を投射するために、赤色、緑色、および青色の３原色帯域の色の分離および再結合を実現する。ＰＢＳによる色の分離および再結合は、複数の色選択偏光フィルタによる別個の色帯域を偏光符号化することによって実現される。これらの構造は、反射された光を分析するために構成要素であるＰＢＳを使用し、したがって光分析のために複数の外部偏光要素を必要としない複数のシステムをさらに備える。これらの３つの表示パネルの２つが、それらに隣接する複数のＰＢＳによって透過される際に分析される一方で、別の１つのパネルと１つのＰＢＳ３を共有する第３のパネルが、出力ＰＢＳによって透過される際に分析される。
【０００７】
上述の色管理構造では、３つの表示パネルが、１つの「Ｌ字」形の、出力ポートが画定されている３つのキューブ組立体として配置される。１つのＰＢＳ／表示パネル対によって個々に操作するために赤色スペクトルと青色スペクトルの間から緑色スペクトルを「切り欠いて」取り出す従来の３パネル／３ＰＢＳ構造（例えば、米国特許出願公開第２００２／０００１１３５号を参照）とは異なり、幾つかの本構造は、最初に青色または赤色を分離し、単一のＰＢＳによって２つのパネルの間で操作されるように複数の隣接波長帯からの複数の色を残す。このように単一のＰＢＳによる複数の隣接色帯域の管理を実現するために、本出願は、これらの隣接色帯域間の領域における色のクロストークを回避するために、複数の選択偏光フィルタの不整合な組合せが可能であることを認識する。これによって、例えば、青色光を別個に処理してそのコントラストを改善することが可能になり、それは、数多くの色管理システムでは青色コントラストがしばしば最も制御が難しいので１つの利点である。複数の隣接波長帯の複数の色を経路指定して単一のＰＢＳによって２つのパネル間で操作することの他の複数の利点は、その場合に波長が連続的なこれらの色帯域に対してより効果的にＰＢＳ性能が調整可能であることを含む。
【発明の効果】
【０００８】
上に説明した隣接色の管理技法に加えて、本発明は、参照により本明細書に組み込まれる、本出願人の米国特許仮出願第１０／０００２２７号に説明されているような複数のスキュー光線補正フィルタを組み込むことができる。特に複数の隣接ＰＢＳ間にかつ特に物理的に小型で高角度照明（低いｆ／＃）の複数の実施に、これらの開示のスキュー光線補正フィルタを使用すると、システム性能を向上させることができる。
【発明を実施するための最良の形態】
【０００９】
図１は、１つの典型的な従来技術の「クワッド」色管理システム３００を示す。システム３００では、１つのｓ偏光された白色光３２０が、１つの第１のスペクトルの光を垂直偏光に変換する１つの第１のＣＳＰＦ３０４に入射し、この垂直偏光は引き続いて第１のＰＢＳ３０６に透過される。第１のスペクトルに対する補色である光はｓ偏光された状態に留まり、引き続いて第１ＰＢＳ３０６によって反射される。次いで、第１のスペクトルを有する光は、１つの第２のＰＢＳ３０８によって透過され、引き続いて１つの随意選択的な１／４波長板３１２を含む１つの第１反射パネル３１０に入射する。オン状態では、第１反射パネル３１０から反射された光はｐ偏光からｓ偏光に変換され、それによって第２のＰＢＳ３０８は、１つの第１の零度配向の１／２波長板３１４を介して、この光を反射することができる。次いで、この光は１つの第３のＰＢＳ３１６によって反射される。第３のＰＢＳ３１６は、第１のスペクトルを第２のＣＳＰＦ３１９の中へと反射し、このフィルタは第１のスペクトルの光をｐ偏光に変換し、このｐ偏光は１つのクリーンアップ偏光子３２４によって分析される。
【００１０】
１つの第２のスペクトルおよび１つの第３のスペクトルの入射光３０２は、第１のＰＢＳ３０６によって１つの第１の補正色選択偏光フィルタ（ＣＣＳＰＦ）３２２上へと反射され、このフィルタは、１本の±π／４軸回りに第２のスペクトルの偏光状態（ＳＯＰ）を反射する。第２のスペクトルの光は、１つの随意選択的な１／４波長板３２８を含む１つの第４ＰＢＳ３２４に透過されて１つの第２反射パネル３２６に達する。第１ＣＣＳＰＦ３２２は第３のスペクトルのＳＯＰを保持する。この第３のスペクトルは、引き続いて第４のＰＢＳ３２４によって、１つの随意選択的な１／４波長板３３２を含む１つの第３反射パネル３３０へと反射される。オン状態では、第２および第３反射パネル３２６、３３０から反射された光は、第２および第３スペクトルの中の光が１つの第２のＣＣＳＰＦ３３４に入射するように、垂直状態を維持してＰＢＳ３２４に戻る。この第２のＣＣＳＰＦ３３４は、１本の±π／４軸回りに第２スペクトルのＳＯＰを反射し、よって両方のスペクトルをｐ偏光に復元する。次いで、ｐ偏光された光は、第３のＰＢＳ３１６、第２のＣＳＰＦ３１８、およびクリーンアップ偏光子３２４によって透過される。それぞれのパネルとＰＢＳの間に位置決めされた随意選択的な１／４波長板は、スキュー光線補正を行うように構成されている。
【００１１】
図２Ａは、１つの投射装置１３００のための１つの典型的な色管理構造を例示する。投射装置１３００は、１つの二色入力ビーム分割器１３０２および３つのＰＢＳ１１０４、１１０６、および１１０８を含む。ＰＢＳは、通常の複数のキューブＰＢＳ、複数のモックステック（Ｍｏｘｔｅｋ）ワイヤ・グリッド偏光子、または他の任意適切なＰＢＳでよい。投射装置１３００は、二色入力ビーム分割器１３０２とＰＢＳ１１０６の間に配置された１つの第１のＣＳＰ１１１２、ＰＢＳ１１０６と１１０８の間に配置された１つの第２のＣＳＰ１１１４、ＰＢＳ１１０４と１１０８の間に配置された４５度配向の１つの１／２波長板１１２０をさらに含む。１つの第１反射パネル１１２２、１つの第２反射パネル１１２４、および１つの第３反射パネル１１２６は、１つの出力光ビーム１１３０を生成するために１つの偏光入力光ビーム１１２８を変調するように構成される。すべてのパネルは、１／４波長板のような補正要素を含み得る。
【００１２】
投射装置１３００は、二色入力ビーム分割器１３０２の複数の出力ポートに複数の偏光子１３２０および１３２２をさらに含む。一実施の形態では、１／２波長板１１２０は、反射パネル１１２４によって変調されかつ反射された光の偏光を回転させるように構成可能である。幾つかの実施の形態では、１つの色フィルタが１／２波長板１１２０に追加可能である。別法として、この色フィルタは１／２波長板１１２０の代用になり得る。
【００１３】
入力光ビーム１１２８は、偏光であってもまたは非偏光であってもよく、限定するものではないが、１つの超高圧水銀（ＵＨＰ）ランプ、１つのキセノン・ランプ、１つの融合ランプ、米国特許仮出願第６０／３５８５１７号（ここで参照によりその全体が本明細書に組み込まれる）による１つの光源、または他の任意適切な光源を含めて、任意適切な光源によって生成可能である。光源は適切な照明光学素子も含み得る。入力光ビーム１１２８は二色入力ビーム分割器１３０２に入射し、この分割器は１つの第１スペクトルの光を反射しかつ１つの第２スペクトルの光を透過する。
【００１４】
次いで、光の反射された第１スペクトルはＰＢＳ１１０４に入射し、このＰＢＳは光の第１スペクトルを反射パネル１１２４に入射するように反射しかつ誘導する。反射パネル１１２４は光の第１スペクトルを変調しかつ反射する。次いで、光の変調された第１スペクトルは、ＰＢＳ１１０４および４５度に配向された１／２波長板１１２０を通過する。１／２波長板１１２０は、ＰＢＳ１１０８が光の変調された第１スペクトルを反射するように、光の変調された第１スペクトルの偏光を垂直偏光方向に回転させる。ＰＢＳ１１０８は、出力光ビーム１１３０の一部を構成するように、光の変調された第１スペクトルを反射しかつ誘導する。この出力光ビームは、任意適切な投射光学素子によって投射可能であるか、または別様に表示のために投影可能である。
【００１５】
光の第２スペクトル（二色入力ビーム分割器１３０２に透過される）は、偏光子１３２２およびＣＳＰ１１１２に入射する。ＣＳＰ１１１２は、ＰＢＳ１１０６が光の第２スペクトルの１つの第１部分を反射パネル１１２４へと反射し、かつ光の第２スペクトルの１つの第２部分がＰＢＳ１１０６に透過されて反射パネル１１２８に達し得るように、第２スペクトルの一部を回転させる。反射パネル１１２４は、光の第２スペクトルの第１部分を変調し、かつそれを再びＰＢＳ１１０６を介してＣＳＰ１１１４へと反射する。ＣＳＰ１１１４は、光がＰＢＳ１１０８に透過されかつ出力光ビーム１１３０の一部となるように、反射板１１２４から反射された光の偏光を回転させない。反射パネル１１２６は、光の第２スペクトルの第２部分を変調し、かつそれを再びＰＢＳ１１０６の中へと反射し、このＰＢＳは、その光を反射パネル１１２６からＣＳＰ１１１４に向かって反射する。ＣＳＰ１１１４は、この光がＰＢＳ１１０８に透過されかつ出力光ビーム１１３０の一部となるように、反射パネル１１２６から反射された光の偏光を回転させる。ＣＳＰ１１１４は、複数のスキュー光線に関して、反射パネル１１２６および１１２８から反射された光を補正するようにさらに構成可能である。
【００１６】
第２の反射された光ビームの第１部分と第２部分の間の遷移領域における光の波長は、外部ノッチ・フィルタリングの非存在下で、フィルタ１１１２および１１１４の遷移によって画定される。第２の反射されたビームが１つの連続スペクトル、例えば、黄色の５２０から６８０ｎｍの帯域を有する場合には、赤色波長（６００ｎｍよりも長い）を緑色の波長（５７０ｎｍよりも短い）から分離する個別のフィルタ１１１２および１１１４の遷移傾斜は、低いコントラストを回避するために著しく重なるべきではなく（１０％未満）、遷移光（〜５７０から６００ｎｍ）は常にパネル１１２６に向かって誘導される。これは、この典型的な場合では、フィルタ１１１２の黄色遷移がフィルタ１１１４の黄色遷移よりも長い波長であるべきことを意味する。
【００１７】
図２Ｂは、二色入力ビーム分割器１３０２の出力ポートに、偏光子１３２０および１３２２の代わりに随意選択的な複数の追加的トリム・フィルタ１３０４および１３０６を備える、図２Ａの典型的な投射装置１３００を示す。これらのトリム・フィルタ１３０４および１３０６は彩度を向上させる。入力光１３０８は主として単一の偏光状態であり得る。
【００１８】
図２Ｃは、二色入力ビーム分割器１３０２の出力ポートに、偏光子１３２０および１３２２と追加的なトリム二色フィルタ１３０４および１３０６の両方を含む、図２Ａの典型的な投射装置１３００を示す。
【００１９】
図３は、図２に示しかつ説明した投射装置１３００の１つの典型的な変形である１つの投射装置１３５０を例示する。１つの入力光１３０８は、二色入力ビーム分割器１３０２の左側から投射装置１３５０の中に進入する。本実施例では、二色入力ビーム分割器１３０２が青色スペクトルを透過しかつ黄色スペクトルを反射する。しかし、二色入力ビーム分割器１３０２は、複数のスペクトルの任意所望の組合せを反射しかつ透過するように構成可能である。ｆ／２．８のような小さ目のｆ数を有する投射装置では、１３０４および１３０６のような追加的な余分の複数のトリム二色要素を必要としない場合がある。本実施例では、投射装置１３５０がｆ／２．８に対して構成されている。典型的には、二色入力ビーム分割器１３０２のような二色ビーム分割器は、入力光の偏光を保存しない。したがって、入力光１３０８の偏光を保存するか、または非偏光入力光１３０８によって動作できるように、偏光子１３２０および１３２２が、二色ビーム分割器１３０２の出力ポートに配置される。さらには、図２Ｃに示したように、トリム・フィルタ１３０４および１３０６も二色入力ビーム分割器１３０２の出力ポートに配置可能である。
【００２０】
１つの赤色／水色フィルタ１１１２が反射された黄色スペクトルを処理する。この赤色／水色フィルタ１１１２は、実質的に水色の偏光状態を維持しながら、赤色光の偏光状態を変換する。１つの反射パネル１１２８が赤色スペクトルを変調し、さらに１つの反射パネル１１２６が緑色（および任意の青色）スペクトルを変調する。１つの赤紫色／緑色フィルタ１１１４が、偏光ビーム分割要素１１０６の出力で赤色および緑色スペクトルの偏光を変換し、赤色（および任意の青色）光を回転させ、かつ緑色光を実質的に無影響状態に残す。４５度に回転された１つの無色１／４波長板１３２６が、偏光ビーム分割要素１１０８の出力ポートに配置される。１つのフィルタ１３２４が、偏光ビーム分割要素１１０４と１１０８の間に配置可能である。このフィルタ１３２４は、青色スペクトルの偏光を回転させるが、黄色スペクトルに影響を与えない。以下に説明するように、フィルタ１３２４は、ＡＮＳＩコントラストを向上させるために１つの１／４波長板との組合せで機能する。一実施の形態によれば、１／４波長板１３２６は可視スペクトル全体にわたって無色であり得る。
【００２１】
「ＡＮＳＩコントラスト」とは、１つの表示装置の１つの明部分と１つの暗部分との間のコントラストを比較するための１つの性能測定法である。ＡＮＳＩコントラスト測定で観察された問題は、表示装置中の明領域に対応する１つのパネルの複数部分から光が１つの投射システム中に再反射されることである。典型的には、このパネルの明領域から発する光は投射装置の中に再反射されてパネルの暗領域を照らす可能性があり、それによって表示装置の暗領域の輝度の増大をもたらす恐れがある。このような望ましくない反射を回避する１つの方策は、反射された光の偏光を変えることである。本実施例では、緑色パネルの一部が明るくかつその一部が暗いとき、このパネルの明領域から投射された緑色光は投射レンズ（図示せず）に向かって進み、この投射レンズ内部の複数要素の表面から再反射される。反射された緑色光が入力光と同じ偏光を有すると、それは緑色パネルに戻り、そこでこの光が不適切な偏光によって緑色パネルの暗領域を照明する恐れがある。次いで、この光は緑色パネル上に投射され、暗い表示装置領域の明度水準を高め、ＡＮＳＩコントラストを低下させる恐れがある。視聴者には、低ＡＮＳＩコントラストは「色褪せた」ように見えることになる。
【００２２】
例えば、緑色反射光が任意のパネルの暗部分に当たるのを防止するために、１／４波長板１３２６は、主としてｓ偏光されるように反射光の偏光を変えることができる。これによって、緑色光のほとんどは、システムの外にかつパネルから離れるように誘導されることになる。投射された緑色光が偏光ビーム分割要素１１０８から退出するとき、それは、１／４波長板１３２６によって、大部分が円偏光された光に変えられる。円偏光された光が投射レンズから反射されかつ１／４波長板１３２６を再び透過するとき、この反射された、対向する左右像の、大部分が円偏光された光の偏光は、実質的にｓ偏光されるように変えられる。このｓ偏光された反射光は、出力偏光ビーム分割器１１０８を透過しないで、青色パネル１１２４に向かって下方に反射される。フィルタ１３２４は、青色スペクトルの偏光を回転させ、かつ緑色および赤色を実質的に不変化状態に残すように構成されている。本実施例では、このｓ偏光された反射光は緑色光であり、したがってフィルタ１３２４はその偏光を回転させず、次に偏光ビーム分割要素１１０４は、このｓ偏光された反射光が青色パネル１１２４に当たるのを防止する。このような特定の実施形態では、反射された赤色光も同様に１枚のパネルに当たらないように防止される。複数のパネルに入射する反射された青色光は、その相対的に低い知覚輝度のためにしばしば許容され得る。投射レンズの反射率が低い場合には、１／４波長板を必要としない場合があり、フィルタ１３２４は、４５度の１つの１／２波長板と置き換え可能である。
【００２３】
図４は１つの投射装置１３６０を例示するが、それは図３に示した投射装置１３５０の１つの典型的な変形である。本実施例では、投射装置１３６０はｆ／２．８以下の１つのｆ数に対して構成されている。小さいｆ数およびより大きな複数の角度のために、入力側の二色フィルタ１３０２は一部の黄色を透過しかつ一部の青色を反射する。したがって、出力ポートにおける色漏洩を回避するために、追加的な余分のトリム二色フィルタ１３２８および１３３０が二色ビーム分割器１３０２の黄色および青色出力ポートにそれぞれ追加される。追加的なトリム二色フィルタ１３２８は黄色スペクトル中の青色漏れを取り除き、追加的なトリム二色フィルタ１３３０は青色スペクトル中の黄色漏れを取り除くように構成可能である。
【００２４】
図５は１つの投射装置１３７０を示すが、それは図３に示した投射装置１３５０のさらに別の１つの典型的な変形である。投射装置１３７０は、二色ビーム分割器１３０２の黄色出力ポートの中に１つの赤紫色／緑色フィルタ１３３５を含む。本実施例では、この赤紫色／緑色フィルタ１３３５が図３の投射装置１３５０の赤色／水色フィルタ１１１２と置き換わる。赤紫色／緑色フィルタ１３３５は、投射装置１３７０の生産性および費用を改善することができる。赤紫色／緑色フィルタ１３３５が投射装置１３７０で使用されるとき、追加的なトリム二色フィルタ１３２８および１３３０が、二色ビーム分割器１３０２の出力ポートに追加可能である。図３の投射装置１３５０では、二色ビーム分割器１３０２は青色光の一部を典型的に反射する。赤色／水色フィルタ１１１２は、反射された青色光が偏光ビーム分割器１１０６によって再び反射されるようにし、この青色光は緑色パネル１１２６に向かう。
【００２５】
青色光が赤紫色／緑色フィルタ１１１４と出力分析ＰＢＳ１１０８の１つの組合せによって取り除かれるので、緑色パネル１１２６の性能は、青色漏れのために顕著に低下することはない。しかし、赤色／水色フィルタ１１１２は投射装置１３７０中の赤紫色／緑色フィルタによって置き換えられるとき、反射された青色光は赤色パネル１１２８に誘導される。反射された青色光は、赤色パネル１１２８の性能に悪影響を及ぼす恐れがある。したがって、反射された青色を取り除くために追加的なトリム二色フィルタ１３２８が追加される。投射システム１３７０は、任意のｆ数を有する応用例に使用可能である。
【００２６】
図６は１つの投射装置１３８０を示すが、それは図３に示した投射装置１３５０のさらに別の１つの典型的な変形である。本実施例では、投射装置１３８０は、スキュー光線補償のために２つの斜板（Ｏ板）補償器１３４０および１３４５を含む。１つの投射システムのコントラストは、偏光ビーム分割器１１０６および１１０４の偏光軸の軸外し幾何学回転に対する補償が存在しないので、その応用例のｆ数がｆ／２．５を下回るとき低下し始める。Ｏ板補償器１３４０および１３４５を使用して小さいｆ数の照明を補償する。Ｏ板補償器１３４０および１３４５はスキュー光線の補償を行う。各チャネル中のＯ板補償器の数は、入射光の角度に依存する。より広い複数の角度には各チャネル中に２つ以上のＯ板補償器を必要とする場合がある一方で、他の複数のシステムでは、１つのＯ板のみを必要とする２つの反射路の一方においてより高い性能が要求される場合がある。１つの隔離された青色チャネルの場合に、そこでは二色ビーム分割器１３０２は黄色光を反射するが、緑色コントラストは、ＰＢＳ１１０６の入力ポートに１つのＯ板補償器を配置することによって改善可能である。
【００２７】
複数のビーム分割要素として複数のキューブを使用する複数の投射システムでは、１つのリターダに基づく補償方式によって解決可能な１つの幾何学的対称性が存在する。これらの補償構成要素は、ビーム伝搬方向に対して４５度をなし、かつ平行であるかまたは垂直であり得る複数の反射表面を有する複数のキューブの間にサンドイッチ状に挟まれている。複数のキューブ間のリターダに基づく補償器は、平行または垂直な反射表面状態に対して、それぞれに回転または反射によって偏光を変換する役割を果たす。１つの４キューブ式システムまたは１つの５キューブ式システムでは、複数のリターダ積層がこれらのキューブ間に配置され、かつそれらがこのような変換特性を有する場合は複数のスキュー光線補償器として使用可能である。投射装置１３８０のような１つの３キューブ式システムでは、このリターダ方策は、複数の隣接キューブ間に配置されているフィルタ１１１４および１３２４に対して実施可能である。入力直線偏光が１つのＰＢＳによって分析される入力では、複数のＯ板を使用して複数のスキュー光線を補償することができる。
【００２８】
図７は１つの典型的な投射システム１３９０を例示するが、それは図３に示した投射システム１３５０のさらに別の１つの変形である。投射システム１３９０では、入力光１３０８が９０度で投射装置１３９０に入射する。投射装置１３９０では、二色ビーム分割器１３０２は青色スペクトルを反射し、かつ黄色スペクトルを透過する。典型的には、ビーム分割器は透過器としてよりも反射器として優れている。投射装置１３９０では、二色フィルタ１３０２は青色チャネル中の黄色スペクトルの一部をわずかに反射する。本実施例では、追加的なトリム二色フィルタ１３３０は、反射された黄色スペクトルを除去することによって青色チャネルを浄化するように構成されている。Ｏ板補償器１３４０および１３４５は、スキュー光線補償のために図２から７に示したシステムのいずれにも追加可能である。
【００２９】
以上に説明した実施形態は、適切な偏光および高度のコントラストを維持しながら、色チャネルを分割しかつ再結合する１つの効率的な手段を提供する。これらの実施形態は、非常に高度の順次コントラストを実現し、かつ次のような他の複数のシステム性能基準を高める。１．投射路中の複数の反射表面を減らすことによってＡＮＳＩコントラストを高める。２．投射路中の複数の非相平坦構成要素および複数の反射表面を減らすことによって軟焦点を改善する。３．色チャネル（例えば、青色）を隔離することによって１つの色の順次コントラストを向上させる。４．入力透過軸と出力透過軸の間に１つの９０度の角度を導入することによって物理的な小型化が促進される。５．青色透過を増加させることによって複数の高い白色温度における輝度を向上させる。さらに、６．出力吸収板偏光子を排除することによって耐久性を向上させる。他の複数の実施形態が、これらの性能基準の幾つかまたはすべてを向上させるように動作し得る。
【００３０】
これらのシステム性能基準は、順次明所視コントラストおよび構成要素基準値を犠牲して改善可能である。ｐ偏光された光の透過を改良した複数のキューブが市販されており、また順次コントラストはオフ状態色およびＡＮＳＩコントラストと較べるとき限定的ではあり得ないので、このような改善が組込み可能である。
【００３１】
複数の典型的な光源が、ウシオ電機株式会社（Ｕｓｈｉｏ）、株式会社東芝（Ｔｏｓｈｉｂａ）、パーキンエルマー社（Ｐｅｒｋｉｎ−Ｅｌｍｅｒ）、フェニックス社（Ｐｈｏｅｎｉｘ）、およびその他から入手可能な、１つの小さいアーク・サイズの超高圧水銀アーク灯を含む。これらの光源は、緑色光および青色光が豊富であるが、赤色光が乏しい。これらおよび任意適切な光源を使用して以上に説明したシステムに光を供給することができる。さらには、これらの光源は実質量のＵＶ光を生成し、それは複数のポリカーボネート薄膜のような複数の有機材料を劣化させる恐れがある。本特許において網羅された複数の特定の実施形態は、潜在的に有害なＵＶ光を含む可能性が最も高い青色チャネルを隔離する。これらの場合には、水晶から作製されたものなど、非有機的な複数の１／２波長板がＰＢＳ１１０４と１１０８の間で使用可能であり、有機材料を含有しない１つのＵＶ混合青色チャネルを可能にする。１つの反射二色ビーム分割器、１つの黄色透過二色要素、１つの赤色／水色フィルタ、１つの赤紫色／緑色フィルタ、１つの出力ＰＢＳ、１つの青色透過二色要素、１つの入力青色偏光回転フィルタ、１つの青色ＰＢＳ、および１つの出力青色偏光フィルタが、複数の典型的な照明コーン平均性能を与える複数の次表の中に列挙される。
【００３２】
【表１】
2006507525.tif 000003
【００３３】
【表２】
2006507525.tif 000004
【００３４】
【表３】
2006507525.tif 000005
【００３５】
【表４】
2006507525.tif 000006
【００３６】
【表５】
2006507525.tif 000007
【００３７】
【表６】
2006507525.tif 000008
【００３８】
【表７】
2006507525.tif 000009
【００３９】
【表８】
2006507525.tif 000010
【００４０】
【表９】
2006507525.tif 000011
【００４１】
本明細書に説明された典型的な実施形態は特定の複数の色または複数の色の組合せに関連して説明可能であるが、他の複数の組合せも同様に可能であることが理解されるべきである。例えば、色フィルタは、赤色／青色、青色／緑色、赤色／緑色、１つの加法混色原色とその補色減法混色原色、または複数のシステム基準が要求する他の任意の色対を含めて、複数の色の任意の組合せであり得る。
【００４２】
本明細書で使用されたように、回転とは１つの純粋な光学的回転に限定されるものではなく、光学的変換をもたらす任意の変換または明らかな光学的回転をもたらす他の複数の効果も含むものである。例えば、４５度の１つの１／２波長板は、回転によってではなくリターデーションによって１つの直線状態を１つの垂直な直線状態に変換可能である。
【００４３】
幾つかの実施形態およびその利点を詳細に説明してきたが、本出願の教示、添付の特許請求の範囲によって示されている本発明の趣旨および範囲から逸脱することなく、本発明には複数の変更、代用、変換、改造、変形、置換、および改変がなされ得ることが理解されるべきである。さらには、本出願において単数形で「発明」と言及されていることを以て、単一の新規な点のみが本出願で請求されているものと主張する論拠に使用されるべきではない。本特許明細書に関連する複数の特許請求の範囲の限定にしたがって複数の発明を示すことが可能であり、したがって本特許請求の範囲は、それによって保護される１つまたは複数の発明を画定するものである。すべて場合において、本特許請求の範囲は、本明細書に照らしてそれ自体の真価に基づいて考慮されるべきであり、本出願に含まれる「単数形の発明」という言及に制約されるべきものではない。
【００４４】
特定の複数の実施形態に関連して、本発明による複数の実現形態を説明してきた。これらの実施形態は、例示であり、したがって限定を意味するものではない。数多くの変形、改造、追加、および改良が可能である
したがって、複数の事例が、単一の事例として本明細書に説明された複数の構成要素に対して提示可能である。様々な構成要素間の複数の境界、複数の動作、および複数のデータ格納は一定程度恣意的なものであり、特定の複数の動作が特定の例示的な複数の構成に関連して例示されている。他の複数の機能割当てが企図されており、それらは以下の特許請求の範囲内に入り得る。最後に、典型的な構成において個別の複数の構成要素として提示された複数の構造および機能は、１つの組み合せられた構造または構成要素として実施可能である。これらならびに他の複数の変形、改造、追加、および改良が、以下の特許請求の範囲で画定された本発明の範囲内に入り得る。
【００４５】
本出願における各節の見出しは、連邦規則集１．７７節３７項の下に推奨されている出願に関する部分に整合するように、または別様に構成上の手掛かりを提示するために設けてある。これらの見出しは、本出願から発し得る複数の特許請求の範囲において示された１つまたは複数の発明を限定あるいは特徴付けるものではない。具体的にかつ例示として述べれば、見出しは１つの「発明の分野」に言及するが、本特許請求の範囲は、このような所謂発明の分野を説明するための見出しの下に選択された言葉によって限定されるべきものではない。さらには、「関連技術の説明」における１つの技術の１つの説明は、技術が本発明に対する先行技術であるという１つの認識として理解されるものではない。「発明の概要」も、本出願に対して特許請求の範囲で示された１つまたは複数の発明の１つの特徴付けであると考えるべきものではない。さらには、これらの見出しにおいて単数形で「発明」と言及されていることを以て、単一の新規な点のみが本出願で請求されているものと主張する論拠に使用されるべきではない。本特許明細書に関連する複数の特許請求の範囲の限定にしたがって複数の発明を示すことが可能であり、したがって本特許請求の範囲は、それによって保護される１つまたは複数の発明を画定するものである。すべて場合において、本特許請求の範囲は、本明細書に照らしてそれ自体の真価に基づいて考慮されるべきであり、本出願に含まれる「単数形の発明」という言及に制約されるべきものではない。
【図面の簡単な説明】
【００４６】
【図１】１つの典型的な従来技術の「クワッド」色管理システムを示す。
【図２Ａ】複数の偏光子を有する１つの二色入力ビーム分割器を含む１つの投射システムのための１つの典型的な色管理構造を示す。
【図２Ｂ】複数の偏光子の代わりに随意選択的な追加的トリム・フィルタを備える、図２Ａの典型的な投射装置１３００を示す。
【図２Ｃ】複数の偏光子と追加的な複数のトリム二色フィルタの１つの組合せを備える、図２Ａの典型的な投射装置１３００を示す。
【図３】１つの投射レンズからの反射を補正するために、１つの出力１／４波長板を有する１つの二色入力ビーム分割器を含む１つの投射装置を示す。
【図４】追加的な複数のトリム二色フィルタを含む、図３に示した投射装置の１つの典型的な変形である。
【図５】黄色ポートに１つの赤紫色／緑色フィルタを備える、図３に示した投射装置の別の１つの典型的な変形である。
【図６】スキュー光線補正のためのＯ板を備える、図３に示した投射装置のさらに別の１つの典型的な変形を例示する。
【図７】光が９０度で入力される、図３の投射装置の１つの典型的な変形を示す。
【符号の説明】
【００４７】
「クワッド」色管理システム３００
３２０  白色光
３０４  第１のＣＳＰＦ
３０６  第１のＰＢＳ
３０８  第２のＰＢＳ
３１２  １／４波長板
３１０  第１反射パネル
３０８  第２のＰＢＳ
３１４  １／２波長板
３１６  第３のＰＢＳ
３１９  第２のＣＳＰＦ
３２４  クリーンアップ偏光子
【図１】
2006507525.tif 000012
2006507525.tif 000013
2006507525.tif 000014
2006507525.tif 000015
【図３】
2006507525.tif 000016
【図４】
2006507525.tif 000017
【図５】
2006507525.tif 000018
【図６】
2006507525.tif 000019
【図７】
2006507525.tif 000020
【国際調査報告】
2006507525.tif 000021
2006507525.tif 000022